(57)【特許請求の範囲】
【請求項１】
画像データを入力する入力部と、
前記画像データを縮小したサムネイル画像を選択可能に表示する表示部と、
選択されたサムネイル画像に対応する前記画像データへの編集指示を受け付けて、前記画像データの編集を行う編集部と、
編集された画像データを印刷するプリンタと、
を備え、
前記編集指示は、画像周縁部の少なくとも一部へのラインの挿入指示と、挿入するラインの幅及び位置の指定とを含み、
前記編集部は、前記画像周縁部の少なくとも一部に挿入されたライン上に文字を入力できると共に、画像の辺に沿って前記画像の外側に前記ラインを合成する処理と前記画像の辺に沿って前記ラインを前記画像上に重ねる処理とを切り替えることができ、
前記表示部は、マルチタッチに対応したタッチパネルであり、ピンチ／スプレッドにより前記ラインの幅を変えられることを特徴とする画像プリント装置。
【請求項２】
前記編集部は、矩形の画像が有する４辺のうちの少なくとも１辺に沿ってラインを挿入することを特徴とする請求項１に記載の画像プリント装置。
【請求項３】
前記編集指示は、各辺に沿ったライン毎の色又は柄の指定を含むことを特徴とする請求項２に記載の画像プリント装置。
【請求項４】
画像データを入力する入力部と、
前記画像データを縮小したサムネイル画像を表示する表示部と、
選択されたサムネイル画像に対応する前記画像データへの編集指示を受け付けて、前記画像データの編集を行う編集部と、
編集された画像データ及び印刷注文を外部へ送信する通信部と、
を備え、
前記編集指示は、画像周縁部の少なくとも一部へのラインの挿入指示と、挿入するラインの幅及び位置の指定とを含み、
前記編集部は、前記画像周縁部の少なくとも一部に挿入されたライン上に文字を入力できると共に、画像の辺に沿って前記画像の外側に前記ラインを合成する処理と前記画像の辺に沿って前記ラインを前記画像上に重ねる処理とを切り替えることができ、
前記表示部は、マルチタッチに対応したタッチパネルであり、ピンチ／スプレッドにより前記ラインの幅を変えられることを特徴とする注文受付端末。
【発明の詳細な説明】
【技術分野】
【０００１】
本発明は、ユーザが所有する記憶媒体や携帯端末等に記憶されている画像データをプリント出力する画像プリント装置、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、ユーザは、デジタルカメラで撮影した画像データが記憶された記憶媒体を持参し、記憶媒体内の画像データを画像プリント装置に読み込ませる。画像プリント装置は、記憶媒体から読み込んだ画像データをプリントしたり、画像データの編集を行った上でプリントしたりする。画像データの編集では、例えば、スタンプを押したり、画像を縁取るフレームを付けたり、手書き文字の書き込みを行ったりする。
【０００３】
画像データの編集において画像を縁取るフレームを付けられるようにする場合、画像プリント装置は、各種フレーム画像を出力プリントサイズ毎に用意する必要があり、手間がかかっていた。また、フレーム画像は固定であり、好みのデザインのフレームの幅が広い場合、必然的にユーザ画像が小さくなっていた。また、フレームは予め定められた位置に固定となり、ユーザによる位置変更等を受け付けないため、ユーザの創作（編集）意欲を減退させ、プリント物の創作性向上の妨げとなることがあった。
【先行技術文献】
【特許文献】
【０００４】
【特許文献１】特許第３７７３８７５号公報
【特許文献２】特開２０１２−１７３９１２号公報
【発明の概要】
【発明が解決しようとする課題】
【０００５】
本発明は、上記従来の実状に鑑みてなされたものであり、画像にフレームを付けられるようにするにあたり、フレーム画像の用意の手間を軽減し、かつ、ユーザの創作意欲を高め、プリント物の創作性を向上させることができる画像プリント装置及び注文受付端末を提供することを課題とする。
【課題を解決するための手段】
【０００６】
本発明の一態様による画像プリント装置は、画像データを入力する入力部と、前記画像データを縮小したサムネイル画像を選択可能に表示する表示部と、選択されたサムネイル画像に対応する前記画像データへの編集指示を受け付けて、前記画像データの編集を行う編集部と、編集された画像データを印刷するプリンタと、を備え、前記編集指示は、画像周縁部の少なくとも一部へのラインの挿入指示と、挿入するラインの幅及び位置の指定とを含むことを特徴とするものである。
【０００７】
本発明の一態様による画像プリント装置において、前記編集部は、矩形の画像が有する４辺のうちの少なくとも１辺に沿ってラインを挿入することを特徴とする。
【０００８】
本発明の一態様による画像プリント装置において、前記編集指示は、各辺に沿ったライン毎の色又は柄の指定を含むことを特徴とする。
【０００９】
本発明の一態様による画像プリント装置において、前記編集部は、画像の辺に沿って、前記画像の外側に前記ラインを合成することを特徴とする。
【００１０】
本発明の一態様による画像プリント装置において、前記編集部は、画像の辺に沿って前記ラインを前記画像上に重ねることを特徴とする。
【００１１】
本発明の一態様による注文受付端末は、画像データを入力する入力部と、前記画像データを縮小したサムネイル画像を表示する表示部と、選択されたサムネイル画像に対応する前記画像データへの編集指示を受け付けて、前記画像データの編集を行う編集部と、編集された画像データ及び印刷注文を外部へ送信する通信部と、を備え、前記編集指示は、画像周縁部の少なくとも一部へのラインの挿入指示と、挿入するラインの幅及び位置の指定とを含むことを特徴とするものである。
【発明の効果】
【００１２】
本発明によれば、画像にフレームを付けられるようにするにあたり、フレーム画像の用意の手間を軽減し、かつ、ユーザの創作意欲を高め、プリント物の創作性を向上させることができる。
【図面の簡単な説明】
【００１３】
【図１】本発明の実施形態による画像プリント装置のブロック構成図である。
【図２】同実施形態による画像プリント装置の斜視図である。
【図３】プリント注文受付プログラムの実行により実現される機能ブロック図である。
【図４】編集画面の一例を示す図である。
【図５】縁取り処理画面の一例を示す図である。
【図６】（ａ）〜（ｅ）はライン挿入例を示す図である。
【図７】ライン編集画面の一例を示す図である。
【図８】（ａ）〜（ｃ）はライン幅の変更例を示す図である。
【図９】ライン柄の変更例を示す図である。
【図１０】同実施形態による画像プリント方法を説明するフローチャートである。
【図１１】（ａ）（ｂ）はライン挿入例を示す図である。
【発明を実施するための形態】
【００１４】
以下、本発明の実施の形態を図面に基づいて説明する。
【００１５】
図１は本実施形態による画像プリント装置のブロック構成図であり、図２は画像プリント装置の斜視図である。図１に示すように、画像プリント装置は、タッチパネル１０、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１６】
タッチパネル１０は、画像を含む情報を表示したり、利用者から各種指示の入力を受け付けたりする。例えば、タッチパネル１０は、利用者から、プリント出力する画像データの選択や、選択された画像データのプリント枚数指定、後述する縁取り処理を含む編集の指示などを受け付ける。図２に示すように、タッチパネル１０は、画像プリント装置の筐体１の上部に設けられ、ディスプレイ画面は略垂直に立った状態となっている。
【００１７】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、無線通信により携帯端末から画像データの入力を受け付けることができる。図２に示すように、データ入力部１１は筐体１の上部、具体的には筐体１の天板１Ａとタッチパネル１０との間に設けられている。
【００１８】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００１９】
プリンタ１３は、昇華型又はインクジェット型などの高解像度カラープリンタであり、注文内容に基づいて、画像データを印画紙にプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２０】
ディスク装置１５は、制御プログラム、プリント注文受付プログラム、及び画像データに対して合成可能な編集アイテムを格納する。ディスク装置１５は例えばハードディスクドライブである。
【００２１】
ＣＰＵ１４は、ディスク装置１５内の制御プログラムをメインメモリ１６にロードし、制御プログラムを実行することで、画像プリント装置の各部を制御する制御部１４０として機能する。
【００２２】
また、ＣＰＵ１４は、ディスク装置１５内のプリント注文受付プログラムをメインメモリ１６にロードして実行する。プリント注文受付プログラムの実行に伴い、図３に示すように、サムネイル画像表示部１４２、注文受付部１４４、及び編集部１４６が実現され、メインメモリ１６には、入力された画像データや注文内容などを格納する領域が確保される。注文受付部１４４は、画像プリント出力する画像データの選択やプリント枚数指定などのプリント注文を受け付ける。
【００２３】
サムネイル画像表示部１４２は、データ入力部１１を介して記憶媒体や携帯端末から画像データが入力されると、画像データを縮小したサムネイル画像をタッチパネル１０に表示する。各サムネイル画像の両側部には拡大ボタン及び編集ボタンが設けられ、下部には、その画像のプリント枚数を指定するプリント枚数増減ボタンが設けられる。拡大ボタンを押すことで、このサムネイル画像を拡大表示することができる。プリント枚数増減ボタンを押すことで、各画像のプリント枚数を指定し、印刷注文を入力することができる。
【００２４】
編集ボタンを押すと、タッチパネル１０の表示が、この画像を編集する編集画面に切り替わる。図４に編集画面の一例を示す。編集画面には、画像データに対して編集を指示するための複数の編集アイテムが表示される。利用者により編集アイテムが選択されると、編集部１４６が編集アイテムを画像データに合成し、画像編集加工を行う。
【００２５】
図４に示すように、タッチパネル１０に表示されている編集画面の中央に編集対象画像４０が配置される。編集対象画像４０の右側には、画像を部分的に消す消しゴムツール４２が表示される。編集対象画像４０の左側には、編集加工処理に用いる編集ツールボタン４４が表示される。編集ツールボタン４４には、例えば、「ペン」、「スタンプ」、「コロコロスタンプ」、「縁取り」を選択するボタンがあり、いずれか１つを選択すると、選択された編集ツールに対応する複数の編集アイテムが表示される。
【００２６】
ユーザが「ペン」を選択すると、ペン先の色やテクスチャ等の一覧が編集アイテムとして表示され、アイテムを選択した後に画像４０の任意の位置を指定して描くことで、画像４０の上に自由に線描することができる。
【００２７】
ユーザが「スタンプ」を選択すると、様々な模様や図形の画像等が編集アイテムとして表示され、そのうちの１つのアイテムを選択した後に画像４０の任意の位置を指定すると、指定した位置に、選択したアイテムが付加（スタンプ）される。
【００２８】
「コロコロスタンプ」は、ローラー型スタンプの効果を生じるもので、「スタンプ」と同様に、ユーザが１つのアイテムを選択した後に、画像４０の任意の位置を指定することによりその位置にスタンプ画像が置かれ、そこから任意の方向にスタンプを引きずると、ローラー型スタンプが回転するのと同様の効果でスタンプ画像が繰り返し付けられる。
【００２９】
ユーザが「縁取り」を選択すると、タッチパネル１０の表示が、縁取り処理画面に切り替わる。図５に縁取り処理画面の一例を示す。縁取り処理画面の中央に編集対象画像５０が配置される。本実施形態による縁取り処理は、矩形の画像が有する４辺の全て又は一部の辺に沿って帯状のラインを挿入するものである。
【００３０】
ユーザが、タッチパネル１０を押して、ラインを挿入する辺を指示すると、編集部１４６はライン挿入指示を受け付け、指示された辺に沿って白色ラインを合成し、プレビュー画像を表示する。例えば、ユーザにより画像５０の上辺が選択されると、編集部１４６は、図６（ａ）に示すように、上辺に沿って白色ライン６１を合成する。
【００３１】
ユーザにより画像５０の右辺及び左辺が選択されると、編集部１４６は、図６（ｂ）に示すように、右辺及び左辺に沿って白色ライン６２、６３を合成する。ユーザにより画像５０の上辺及び下辺が選択されると、編集部１４６は、図６（ｃ）に示すように、上辺及び下辺に沿って白色ライン６１、６４を合成する。
【００３２】
ユーザにより画像５０の右辺及び下辺が選択されると、編集部１４６は、図６（ｄ）に示すように、右辺及び下辺に沿って白色ライン６２、６４を合成する。ユーザにより画像５０の四辺全てが選択されると、編集部１４６は、図６（ｅ）に示すように、画像の上下左右に沿って画像を囲むように白色ライン６１〜６４を合成する。
【００３３】
図５に示すように、縁取り処理画面には、挿入した白色ラインの幅、色、柄を変更するための変更ボタン５２が表示される。ユーザにより変更ボタン５２が押されると、タッチパネル１０の表示が図７に示すようなライン編集画面に切り替わる。
【００３４】
ライン編集画面には、編集対象画像７０と、幅変更ボタン７２、カラー変更ボタン７４、柄変更ボタン７６が表示される。ラインの幅、色、柄は、１辺ずつ個別に、又は複数本まとめて変えることができる。ユーザは、編集対象画像７０から幅、色、柄を変える１本又は複数本のライン６１〜６４を選択（タッチ）する。そして、ユーザが、幅変更ボタン７２、カラー変更ボタン７４、柄変更ボタン７６を押すと、編集部１４６は選択されているラインの幅、色、柄を変更する。
【００３５】
文字入れ編集（図示略）や上述の「ペン」編集により、ユーザ画像上だけでなく、ライン６１〜６４上にも文字を入力することができ、画像に見出し（タイトル）を付けることができる。
【００３６】
例えば、図８（ａ）に示すようにライン６１〜６４の幅を狭くしたり、図８（ｂ）に示すようにライン６１〜６４の幅を太くしたりすることができる。また、図８（ｃ）に示すように、上下のライン６１、６４を太くし、左右のライン６２、６３を細くすることができる。ラインの幅を狭くすることで、画像を大きく見せることができる。また、ラインの幅を太くすることで、文字入力領域を広くとることができる。
【００３７】
図９は、ライン６１〜６４の柄を１本ずつ異なるものとした例を示す。サイズの小さい単位柄データを準備しておき、編集部１４６は、ライン領域を敷き詰めるように、この単位柄データを連続して繰り返し配置する。これにより、ラインの幅や長さ毎に柄データを準備しておく必要がなくなり、サービス提供者側の手間を軽減できる。
【００３８】
次に、図１０に示すフローチャートを用いて、本実施形態に係る画像プリントの処理の流れを説明する。
【００３９】
ユーザが持参した可搬記憶媒体が接続される等して、データ入力部１１が画像データの入力を受け付ける（ステップＳ１０１）。サムネイル画像表示部１４２は、入力された画像データを縮小したサムネイル画像をタッチパネル１０のディスプレイに表示する（ステップＳ１０２）。
【００４０】
ユーザが、タッチパネル１０を操作して、プリント注文する画像を選択する（ステップＳ１０３）。選択した画像の編集を行わない場合は（ステップＳ１０４＿Ｎｏ）、ステップＳ１０９へ進む。選択した画像の編集を行う場合は（ステップＳ１０４＿Ｙｅｓ）、編集ボタンを押す。編集ボタンを押すことで、図４に示すような編集画面が表示される。ここでは、「縁取り」ボタンをさらに押して、図５に示すような縁取り処理画面で縁取り処理を行う場合について説明する。
【００４１】
ユーザがラインを挿入する（縁取りする）辺を指示すると、編集部１４６は、指示された辺に沿って白色のラインを挿入する（ステップＳ１０５、Ｓ１０６）。
【００４２】
ユーザが変更ボタン５２を押すと、タッチパネル１０の表示が図７に示すようなライン編集画面に切り替わる。ユーザは、挿入したラインを１本ずつ個別に、又は複数本まとめて、幅、色、柄を変更することができる（ステップＳ１０７）。
【００４３】
編集処理が完了した場合は（ステップＳ１０８＿Ｙｅｓ）、ステップＳ１０９へ進む。編集処理を続ける場合は（ステップＳ１０８＿Ｎｏ）、ステップＳ１０５に戻る。
【００４４】
選択した画像のプリント枚数増減ボタンを押してプリント枚数を入力する（ステップＳ１０９）。注文が完了した場合は（ステップＳ１１０＿Ｙｅｓ）、ステップＳ１１１に進む。注文を続ける場合は（ステップＳ１１０＿Ｎｏ）、ステップＳ１０３に戻る。
【００４５】
ユーザからの注文内容に基づく請求金額がタッチパネル１０に表示される。ユーザが貨幣を投入すると、課金部１２は投入された貨幣を計数し、釣銭の出金やレシートの印字等を行う（ステップＳ１１１）。
【００４６】
課金処理後、制御部１４０が、編集された画像データをプリンタ１３に転送し、注文内容に基づく画像データのプリントを実行させる（ステップＳ１１２）。これにより、画像の４辺のうちユーザが指定した辺に沿って、所望の幅、色、柄のラインが挿入された画像をプリントしたプリント物を作製できる。
【００４７】
以上のように、本実施形態による画像プリント装置は、画像編集で任意の辺に沿ってラインを挿入し、フレームを付けることができる。ラインを挿入する辺、ラインの幅、色、柄をユーザが選定できるため、ユーザの創作意欲を高め、プリント物の創作性を向上させることができる。また、出力プリントサイズ毎にフレーム画像を用意する必要がなく、サービス提供者の手間を軽減できる。
【００４８】
上記実施形態では、ライン編集画面の幅変更ボタン７２（図７参照）でラインの幅を変更する例について説明したが、タッチパネル１０がマルチタッチに対応している場合は、ピンチ／スプレッドにより幅を変えられるようにしてもよい。
【００４９】
挿入するライン６１〜６４は、図１１（ａ）に示すように、ユーザ画像の外側に合成してもよいし、図１１（ｂ）に示すように、ユーザ画像の周縁部に重ねてもよい。これらの処理が切り替えられるようになっていてもよい。
【００５０】
ユーザ画像の外側にラインを合成する処理は、例えばユーザ画像全体を表示（プリント）したい場合に好適であり、ラインの幅に応じてユーザ画像は拡縮される。
【００５１】
一方、ユーザ画像の周縁部にラインを重ねる処理は、ユーザ画像の周縁部に表示（プリント）不要な物体が写っている場合に好適である。
【００５２】
上記実施形態において、印画物作製装置は、２つ以上のタッチパネルを備えていてもよい。例えば、入力された画像データのサムネイル画像の一覧を第１タッチパネルに表示し、編集画面や縁取り処理画面を第２タッチパネルに表示してもよい。
【００５３】
上記実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント注文された画像データ及び注文内容を、有線又は無線ネットワークを介してプリンタサーバへ送信する通信部が設けられる。利用者は郵送等によってプリント物を受け取る。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５５】
１０  タッチパネル
１１  データ入力部
１２  課金部
１３  プリンタ
１４  ＣＰＵ
１５  ディスク装置
１６  メインメモリ
６１〜６４  ライン
１４０  制御部
１４２  サムネイル画像表示部
１４４  注文受付部
１４６  編集部
【図１】
0006728685.tif 000002
【図２】
0006728685.tif 000003
【図３】
0006728685.tif 000004
【図４】
0006728685.tif 000005
【図５】
0006728685.tif 000006
【図６】
0006728685.tif 000007
【図７】
0006728685.tif 000008
【図８】
0006728685.tif 000009
【図９】
0006728685.tif 000010
【図１０】
0006728685.tif 000011
【図１１】
0006728685.tif 000012